(57)【要約】      （修正有）【課題】体格差の大きいペットを火葬した場合でも、収骨に適した遺骨が残るように、ペットのサイズに合わせて合理的に焼却できるペット用火葬炉を提供する。【解決手段】火葬炉１０の内部に一次燃焼室１１と二次燃焼室１２とを煙道１３を介して形成する。各燃焼室にバーナーを装着する。載置した遺体を焼却する焼却支持台を一次燃焼室１１に設ける。遺体を運ぶ台車１に昇降枠２を装着する。火葬炉１０内の焼却支持台上に遺体受皿３を載置するように設ける。一次燃焼室１１に可変バーナー２１を配置する。この可変バーナー２１の火炎放射向きを上下左右に調整自在に設ける。【選択図】図１
0003171263.tif 000002
【実用新案登録請求の範囲】
【請求項１】
火葬炉の内部に一次燃焼室と二次燃焼室とを煙道を介して形成し、各燃焼室にバーナーを装着し、載置した遺体を焼却する焼却支持台を一次燃焼室に設けると共に、遺体を運ぶ台車に昇降枠を装着し、該昇降枠上に載置した遺体受皿を該台車ごと火葬炉内に搬入させ、火葬炉内の焼却支持台上に遺体受皿を載置せしめるように構成されたペット用火葬炉において、一次燃焼室に装着したバーナーの火炎放射向きを遺体のサイズに合わせて上下左右に調整するように設けられた可変バーナーを配置したことを特徴とするペット用火葬炉。
【請求項２】
前記可変バーナーは、前記火葬炉の壁面に開穿されたバーナー挿入口に装着され、該バーナー挿入口と可変バーナーとの間に、該可変バーナーの上下の向きを調整する上下調整装置と、可変バーナーの左右の向きを調整する左右調整装置とを備えた請求項１記載のペット用火葬炉。
【請求項３】
前記台車を前記葬炉内に搬入するときに、前記焼却支持台上に載置した遺体に前記可変バーナーの火炎が届く位置まで誘導せしめる台車誘導レールを火葬炉内に設けた請求項１記載のペット用火葬炉。
【請求項４】
前記台車誘導レールは、前記焼却支持台の前方で平面八の字形状に広がった一対の導入部と、該導入部の端部から焼却支持台の下方まで延長され、導入した台車を正確な位置に誘導せしめる誘導部とで構成された請求項３記載のペット用火葬炉。
【考案の詳細な説明】
【技術分野】
【０００１】
本考案は、例えば犬、猫等のペットを火葬する際に使用するペット用火葬炉に係り、特に、火葬するペットのサイズに対応して合理的な火葬ができるペット用火葬炉に関する。
【背景技術】
【０００２】
従来のペット用火葬炉として例えば特許文献１に記載の火葬炉は、犬、猫、小鳥、ハムスター、金魚、ハチュウ類等の愛玩用、観賞用の小動物の遺体を焼却する際に、その燃焼効率を高めるように構成したものである。すなわち、本体部の取入口から奥に向かって延びる主燃焼室と、主燃焼室の奥から上部に向かって延びる煙道と、煙道の上部から水平に延びる再燃焼室とが設けられたもので、再燃焼室の排気口側に設けられた排煙筒から燃焼ガスを排気させるように構成したものである。
【０００３】
また、特許文献２に記載の火葬炉は、火葬前のお別れ、火葬、収骨といった一連のセレモニーをスマートに執り行うことができるように構成されたシステムである。このような目的のために、特許文献２では、台車の積載部を挿入できるように、扉側の台座を、台車のキャスタ支持部が火葬室の外壁下方に進入できる幅に切り欠いた火葬室を備え、台車は愛玩動物の遺体を前記火格子に載せて運搬するための上下昇降可能な積載部を備え、前記台車の積載部を火葬室内の載置部よりも上方に位置させた状態で積載部を台車ごと火葬室内へ進入させ、次いで積載部を前記載置部間において下降させることにより前記火格子に載る遺体を火格子ごと載置部上に載せて台車を火葬室から引き出すように構成したものである。そして、火葬後に、台車の積載部を火葬室内の載置部よりも低い位置に下降させた状態で進入させ、その積載部を載置部よりも上方に上昇させて火格子を遺骨ごと台車の積載部にて支持させて、台車を遺骨の収骨場所に移動するように構成している。
【先行技術文献】
【特許文献】
【０００４】
【特許文献１】実用新案登録第３０８６０８７号
【特許文献２】特許第４１７３１８０号
【考案の概要】
【考案が解決しようとする課題】
【０００５】
ところが、従来のペット用の火葬炉には、ペットのサイズに合わせて合理的に焼却できるように構成されたものはなかった。
【０００６】
すなわち、特許文献１に記載の火葬炉は、主燃焼室、再燃焼室、煙道などを設け、再燃焼室の煙道から遠い側に設けられた排煙筒から燃焼ガスを排気させることでその燃焼効率を高めるように構成している。ところが、特許文献１に記載の如く、犬、猫、小鳥、ハムスター、金魚、爬虫類等の愛玩用、観賞用の小動物を火葬対象とすると、ペットのサイズに大きな差異が生じるので、これらのサイズに合わせて合理的に焼却することは困難であった。
【０００７】
また、特許文献２に記載の火葬炉においても、火葬前のお別れ、火葬、収骨といった一連のセレモニーをスマートに執り行うことができるとしても、ペットのサイズに合わせて合理的に焼却できるような構成は記載されていなかった。
【０００８】
火葬対象のペットとして、最も依頼の多い犬や猫の火葬を想定した場合でも、大型の犬から小型の猫までが対象に含まれる。そのため、この体格差が極めて大きなものになり、体格差の異なるペットを同じ火葬炉で焼却した場合、体格が大きいものでは遺骨が多く残り易く、体格が小さいものでは遺骨が残らず焼却されるおそれがあるなどといった不都合が生じていた。
【０００９】
そこで、本考案は上述の課題を解消すべく案出されたもので、体格差の大きいペットを火葬した場合でも、収骨に適した遺骨が残るように、ペットのサイズに合わせて合理的に焼却できるペット用火葬炉の提供を目的とするものである。
【課題を解決するための手段】
【００１０】
上述の目的を達成すべく本考案における第１の手段は、火葬炉１０の内部に一次燃焼室１１と二次燃焼室１２とを煙道１３を介して形成し、各燃焼室にバーナーを装着し、載置した遺体を焼却する焼却支持台１４を一次燃焼室１１に設けると共に、遺体を運ぶ台車１に昇降枠２を装着し、該昇降枠２上に載置した遺体受皿３を該台車１ごと火葬炉１０内に搬入させ、火葬炉１０内の焼却支持台１４上に遺体受皿３を載置せしめるように構成されたペット用火葬炉において、一次燃焼室１１に装着したバーナーの火炎放射向きを遺体のサイズに合わせて上下左右に調整するように設けられた可変バーナー２１を配置したことにある。
【００１１】
第２の手段において、前記可変バーナー２１は、前記火葬炉１０の壁面に開穿されたバーナー挿入口１５に装着され、該バーナー挿入口１５と可変バーナー２１との間に、該可変バーナー２１の上下の向きを調整する上下調整装置２２と、可変バーナー２１の左右の向きを調整する左右調整装置２３とを備えたことにある。
【００１２】
第３の手段において、前記台車１を前記葬炉１０内に搬入するときに、前記焼却支持台１４上に載置した遺体に前記可変バーナー２１の火炎が届く位置まで誘導せしめる台車誘導レール１６を火葬炉１０内に設けたものである。
【００１３】
第４の手段において、前記台車誘導レール１６は、前記焼却支持台１４の前方で平面八の字形状に広がった一対の導入部１６Ａと、該導入部１６Ａの端部から焼却支持台１４の下方まで延長され、導入した台車１を正確な位置に誘導せしめる誘導部１６Ｂとで構成されている。
【考案の効果】
【００１４】
本考案の請求項１のごとく、一次燃焼室１１に装着したバーナーの火炎放射向きを遺体のサイズに合わせて上下左右に調整するように設けられた可変バーナー２１を配置したことより、体格差の大きいペットを火葬した場合でも、収骨に適した遺骨が残るように、ペットのサイズに合わせて合理的に焼却することが可能になった。
【００１５】
請求項２のように、可変バーナー２１は、火葬炉１０の壁面に開穿されたバーナー挿入口１５に装着され、該バーナー挿入口１５と可変バーナー２１との間に、該可変バーナー２１の上下の向きを調整する上下調整装置２２と、可変バーナー２１の左右の向きを調整する左右調整装置２３とを備えたことにより、可変バーナー２１の火炎放射方向を容易に調整することができる。
【００１６】
請求項３のように、台車１を前記葬炉１０内に搬入するときに、前記焼却支持台１４上に載置した遺体に前記可変バーナー２１の火炎が届く位置まで誘導せしめる台車誘導レール１６を火葬炉１０内に設けたことで、遺体を焼却に適した位置まで正確に誘導することができる。この結果、可変バーナー２１による合理的な焼却を可能にするものである。
【００１７】
請求項４のごとく、台車誘導レール１６は、焼却支持台１４の前方で平面八の字形状に広がった一対の導入部１６Ａと、該導入部１６Ａの端部から焼却支持台１４の下方まで延長され、導入した台車１を正確な位置に誘導せしめる誘導部１６Ｂとで構成されているので、火葬炉１０の外から内部に台車１を搬入させるときは、おおよその方向で搬入させても導入部１６Ａが台車１を台車誘導レール１６内に導くことができる。その後、誘導部１６Ｂが台車１を正確な位置まで案内するので、スムーズな搬入が可能になる。
【図面の簡単な説明】
【００１８】
【図１】本考案の一実施例を示す概略断面図である。
【図２】本考案の制御バーナーの装着状態を示す正面図である。
【図３】（イ）、（ロ）は、制御バーナーの装着状態を示す側断面図である。
【図４】（イ）、（ロ）は、制御バーナーの装着状態を示す平断面図である。
【図５】（イ）、（ロ）は、制御バーナーの取り外し状態を示す平断面図である。
【図６】本考案の台車と焼却支持台の一実施例を示す側面図である。
【図７】本考案の台車誘導レールの一実施例を示す平面図である。
【図８】本考案の焼却支持台の一実施例を示す正面図である。
【図９】本考案の台車の他の実施例を示す正面図である。
【考案を実施するための形態】
【００１９】
本考案によると、体格差の大きいペットを火葬した場合でも、収骨に適した遺骨が残るように、ペットのサイズに合わせて合理的に焼却できるペット用火葬炉を提供することに成功した。
【００２０】
以下、本考案の実施例を説明する。本考案は、主に犬や猫などのペットを火葬するペット用火葬炉である。本考案では、一次燃焼室１１及び二次燃焼室１２を備えた火葬炉１０と、この火葬炉１０に遺体を搬入する台車１を使用する（図１参照）。火葬炉１０は、内部に一次燃焼室１１と二次燃焼室１２とを煙道１３を介して形成している。そして、各燃焼室に燃焼用のバーナーを装着すると共に、載置した遺体を焼却せしめる焼却支持台１４を一次燃焼室１１に設けたものである。
【００２１】
図示の火葬炉１０は、建屋Ｐ内に設置されている。そして、二次燃焼室１２からの煤煙は、サイクロン集塵機Ｑを通過する際にダストボックスＱ１に集塵され、誘引送風機Ｑ３の送風と共に、消音器兼排気筒Ｑ４から排気されるものである（図１参照）。
【００２２】
遺体を運ぶ台車１は、昇降枠２を装着し、この昇降枠２上に遺体受皿３を載置する。さらに、遺体受皿３の上に載置したペットの遺体を台車１ごと火葬炉１０内に搬入するものである。そして、火葬炉１０内の焼却支持台１４上に遺体受皿３を載置した後、台車１を戻し、焼却支持台１４上の遺体をバーナーが焼却する。
【００２３】
このバーナーには、一次燃焼室１１に装着する可変バーナー２１と、二次燃焼室１２に装着して煤煙を再燃させる補助バーナー２５とがある（図１参照）。
【００２４】
可変バーナー２１は、火炎の放射方向を上下左右に調整自在に設けられたもので、遺体のサイズに合わせて火炎の放射方向を調整するものである。この可変バーナー２１は、火葬炉１０の壁面に開穿されたバーナー挿入口１５に装着されている（図２参照）。バーナー挿入口１５の近くには内部確認窓１９が形成され、この窓から内部を確認しながら可変バーナー２１の向きを調整する。そのため、可変バーナー２１には、可変バーナー２１の上下の向きを調整する上下調整装置２２や、左右の向きを調整する左右調整装置２３が蝶番２０を介して備えられている（図２参照）。
【００２５】
図３に示す上下調整装置２２は、可変バーナー２１の上部に設けられた上部連結片２１Ａと、バーナー挿入口１５の上部と上部連結片２１Ａとを連結する長ボルト状の連結杆２２Ａを設け、この連結杆２２Ａに調整ハンドル２２Ｂを装着し、連結杆２２Ａにおける上部連結片２１Ａの位置を調整ハンドル２２Ｂにて調整するものである。図３の上下調整装置２２によると、バーナー挿入口１５に対して略水平に可変バーナー２１を装着した状態（イ）から、調整ハンドル２２Ｂを回して上部連結片２１Ａがバーナー挿入口１５の上部に近づくように調整すると、（ロ）の如く可変バーナー２１の向きが下向きに変更される。
【００２６】
また、可変バーナー２１の左右の向きを調整する左右調整装置２３も備えられている（図４参照）。この左右調整装置２３も上下調整装置２２と同様に、可変バーナー２１の側部に設けられた側部連結片２１Ｂと、バーナー挿入口１５の側部と側部連結片２１Ｂとを連結する長ボルト状の連結杆２３Ａを設け、この連結杆２３Ａに調整ハンドル２３Ｂを装着し、連結杆２３Ａにおける側部連結片２１Ｂの位置を調整ハンドル２３Ｂにて調整するものである。図４の左右調整装置２３によると、バーナー挿入口１５に対して略水平に可変バーナー２１を装着した状態（イ）から、調整ハンドル２３Ｂを回して側部連結片２１Ｂがバーナー挿入口１５の側部から遠ざかるように調整すると、（ロ）の如く可変バーナー２１の向きが横向きに変更される。
【００２７】
さらに、可変バーナー２１には、解除装置２４も設けられている（図２参照）。この解除装置２４は、可変バーナー２１の側部に設けた解除片２１Ｃと、バーナー挿入口１５の側部に設けた連結杆２４Ａを解除ハンドル２４Ｂが連結している（図５（イ）参照）。そして、解除ハンドル２４Ｂを回して可変バーナー２１を連結杆２４Ａから解除すると、バーナー挿入口１５から可変バーナー２１を取り外すことが可能になる（同図（ロ）参照）。これにより、可変バーナー２１の交換やメンテナンス等を容易に行うことができるものである。
【００２８】
台車１を前記火葬炉１０内に搬入するときに、台車誘導レール１６が台車１を誘導する（図１参照）。この台車誘導レール１６は、台車１を前記葬炉１０内に搬入するときに、焼却支持台１４上に載置した遺体に可変バーナー２１の火炎が届く位置まで誘導せしめるもので、火葬炉１０の内部床面に設けられている（図８参照）。図示例の台車誘導レール１６は、導入部１６Ａと誘導部１６Ｂとで構成されている（図７参照）。
【００２９】
すなわち、台車１は、炉前ホールＲ内で遺体を載置し、炉前ホールＲの化粧扉Ｒ１を開けて火葬炉１０内に搬入する（図１参照）。このとき、火葬炉１０に装着されている電動ホイスト１７を作動して火葬炉１０の扉１８を開けて一次燃焼室１１内に搬入し、焼却支持台１４の左右に３箇所ずつ配置した耐火材１４Ａ上に遺体受皿３を載置するものである（図６参照）。このとき、扉１８の前から火葬炉１０の内部に台車誘導レール１６が備えられている（図８参照）。扉１８の前方には導入部１６Ａが設けられ、火葬炉１０の内部には誘導部１６Ｂが設けられている（図７参照）。
【００３０】
導入部１６Ａは、焼却支持台１４の前方で平面八の字形状に広がった一対のレールである（図７参照）。誘導部１６Ｂは、焼却支持台１４の真下まで延長されており、台車１の昇降枠２上の遺体を載置した受皿３が、焼却支持台１４の適位置に載置できるように構成している。
【００３１】
このとき台車１は、車輪４が台車誘導レール１６に接触して誘導される構成でもよいが、台車１の両側にガイド片５を設け、このガイド片５が台車誘導レール１６に接触して誘導されるように構成することも可能である（図９参照）。
【００３２】
尚、本考案の各構成は図示例に限定されるものではなく、台車１や火葬炉１０の構成、及び可変バーナー２１の向きを調整する上下調整装置２２や左右調整装置２３の構成などは、図示例に限定されるものではなく、本考案の要旨を変更しない範囲で任意に変更することができる。
【産業上の利用可能性】
【００３３】
本考案の火葬炉は、主に犬や猫等のペットを火葬することは勿論可能であるが、この他、爬虫類やその他のペットを火葬することも可能であり、ペットの種類を問わずに利用することができるものである。
【符号の説明】
【００３４】
Ｐ  建屋
Ｑ  サイクロン集塵機
Ｑ１  ダストボックス
Ｑ２  煤塵測定口
Ｑ３  誘引送風機
Ｑ４  消音器兼排気筒
Ｒ  炉前ホール
Ｒ１  化粧扉
１  台車
２  昇降枠
３  遺体受皿
４  車輪
５  ガイド片
１０  火葬炉
１１  一次燃焼室
１２  二次燃焼室
１３  煙道
１４  焼却支持台
１４Ａ  耐火材
１５  バーナー挿入口
１６  台車誘導レール
１６Ａ  導入部
１６Ｂ  誘導部
１７  電動ホイスト
１８  扉
１９  内部確認窓
２０  蝶番
２１  可変バーナー
２１Ａ  上部連結片
２１Ｂ  側部連結片
２１Ｃ  解除片
２２  上下調整装置
２２Ａ  連結杆
２２Ｂ  調整ハンドル
２３  左右調整装置
２３Ａ  連結杆
２３Ｂ  調整ハンドル
２４  解除装置
２４Ａ  連結杆
２４Ｂ  解除ハンドル
２５  補助バーナー
【図１】
0003171263.tif 000003
【図２】
0003171263.tif 000004
【図３】
0003171263.tif 000005
【図４】
0003171263.tif 000006
【図５】
0003171263.tif 000007
【図６】
0003171263.tif 000008
【図７】
0003171263.tif 000009
【図８】
0003171263.tif 000010
【図９】
0003171263.tif 000011